(57)【要約】【課題】形状のバリエーションに富み、かつ、構成部品の組み合わせ方によっては異なる用途に用いることができるような、自由組み立て型の収容体とその構成部品を提供することにある。【解決手段】複数組み合わせることによって収容体を形成することができる収容体の構成部品であって、前記構成部品は略シート状の部品本体１０を備え、前記部品本体１０は互いに連結可能な第１連結部２１及び第２連結部２２、並びに互いに固定可能な第１固定部３１及び第２固定部３２を備え、前記第１連結部２１と前記第２連結部２２は前記部品本体１０の縦方向における相対する位置にそれぞれ設けられ、前記第１固定部３１と前記第２固定部３２は前記部品本体１０の横方向における相対する位置にそれぞれ設けられていることを特徴とする、構成部品。【選択図】図５
2015213545.tif 000002
【特許請求の範囲】
【請求項１】
複数組み合わせることによって収容体を形成することができる収容体の構成部品であって、
前記構成部品は略シート状の部品本体を備え、
前記部品本体は互いに連結可能な第１連結部及び第２連結部、並びに互いに固定可能な第１固定部及び第２固定部を備え、
前記第１連結部と前記第２連結部は前記部品本体の縦方向における相対する位置にそれぞれ設けられ、
前記第１固定部と前記第２固定部は前記部品本体の横方向における相対する位置にそれぞれ設けられていることを特徴とする、構成部品。
【請求項２】
前記部品本体は互いに並行な２辺を有し、当該２辺の内の一方に前記第１連結部が設けられ、他方の辺に前記第２連結部が設けられていることを特徴とする、構成部品。
【請求項３】
前記第１連結部及び前記第２連結部が互いに噛み合う務歯で構成される線ファスナーであることを特徴とする、請求項１又は２に記載の構成部品。
【請求項４】
前記部品本体の一方の面に前記第１固定部を備え、他方の面に前記第２固定部を備えることを特徴とする、請求項１〜３の何れか１項に記載の構成部品。
【請求項５】
前記第１固定部と前記第２固定部が互いに固定可能な面ファスナーであることを特徴とする、請求項４に記載の構成部品。
【請求項６】
前記第１固定部に固定可能な第３固定部を有する略シート状の固定体を備えることを特徴とする、請求項１〜５の何れか１項に記載の構成部品。
【請求項７】
前記部品本体に、物品を保持するための保持手段が設けられていることを特徴とする、請求項１〜６の何れか１項に記載の構成部品。
【請求項８】
請求項１〜７の何れか１項に記載の構成部品によって形成された収容体。
【発明の詳細な説明】
【技術分野】
【０００１】
本発明は自由に組み立てることができる収容体の構成部品及び該構成部品によって形成される収容体に関する。
【背景技術】
【０００２】
従来のポーチやバッグ等は一定の形状に固定されたものがほとんどであるが、ユーザーの自由な発想によってその形状や用途を変更できるものが少なからず存在する。
例えば特許文献１には、周囲に他のクッションへの連結部を有するクッションが、着脱自在に複数個連結されて袋状に構成されるクッション兼用バッグが開示されている。
また、特許文献２には、下端わくに第１連結ジッパーが形成された上部胴体と、前記上部胴体の第１連結ジッパー１２にかみ合ってジッパー連結される第２連結ジッパーが上端部わくに用意されて、内部空間を有する下部胴体を含んで構成される脱着式カバンが開示されている。
【先行技術文献】
【特許文献】
【０００３】
【特許文献１】実用新案登録３０７９８７４号公報
【特許文献２】実用新案登録３１６１３９６号公報
【発明の開示】
【発明が解決しようとする課題】
【０００４】
上述したように線ファスナーなどの連結手段を用いて複数の構成要素を組み合わせることで、別の形状のバッグを形成することや、別の用途に用いる物品を形成することが知られている。
しかし、特許文献１に記載のクッション兼用バッグは、線ファスナーによって連結可能な方向が平面的であり、形成できるバッグの形状のバリエーションは少ない。
また、特許文献２に記載の脱着式カバンは、小さいバッグと大きなバッグを脱着可能な構成にしたものであるので、異なる用途を提供しているとは言えない。
【０００５】
このような状況に鑑み、本発明の解決しようとする課題は、形状のバリエーションに富み、かつ、構成部品の組み合わせ方によっては異なる用途に用いることができるような、自由組み立て型の収容体とその構成部品を提供することにある。
【課題を解決するための手段】
【０００６】
上記課題を解決する本発明は、複数組み合わせることによって収容体を形成することができる収容体の構成部品であって、
前記構成部品は略シート状の部品本体を備え、
前記部品本体は互いに連結可能な第１連結部及び第２連結部、並びに互いに固定可能な第１固定部及び第２固定部を備え、
前記第１連結部と前記第２連結部は前記部品本体の縦方向における相対する位置にそれぞれ設けられ、
前記第１固定部と前記第２固定部は前記部品本体の横方向における相対する位置にそれぞれ設けられていることを特徴とする、構成部品である。
本発明の構成部品によれば、その使用個数や組み合わせ方によって様々な形状の収容体を形成することができる。
【０００７】
また、本発明の好ましい形態では、前記部品本体は互いに並行な２辺を有し、当該２辺の内の一方に前記第１連結部が設けられ、他方の辺に前記第２連結部が設けられている。
かかる形態の本発明においては、２つ以上の構成部品を各連結部で連結する際に、隙間ができなくなる。すなわち、完成品の収容体において第１連結部と第２連結部との連結部分を、閉口時に隙間の無い開口部として用いることができる。
【０００８】
本発明の好ましい形態では、前記第１連結部及び前記第２連結部が互いに噛み合う務歯で構成される線ファスナーである。
線ファスナーは構成部品を強固に連結することができる連結手段である。したがって、かかる形態の本発明の構成部品で形成した収容体は強固な開閉機構であるファスナーを開口部として備え、利便性に優れる。
【０００９】
また、本発明の好ましい形態では、前記部品本体の一方の面に前記第１固定部を備え、他方の面に前記第２固定部を備える。
かかる形態の本発明は、第１固定部及び第２固定部として、シャンクボタン、スナップボタン、トグルボタン、又は面ファスナー等の平面に備えられた２種類の部材からなる固定手段を採用する際に、取り扱いが容易になる。
【００１０】
本発明の好ましい形態では、前記第１固定部と前記第２固定部が互いに固定可能な面ファスナーである。
面ファスナーは開閉が容易な固定手段であるので、かかる形態の本発明によって形成した収容体は、開閉が容易な開口部を有することになる。
【００１１】
また本発明の好ましい形態では、前記第１固定部に固定可能な第３固定部を有する略シート状の固定体を備える。
かかる形態の本発明では、構成部品同士を固定体によってより強固に固定することができる。
【００１２】
さらに本発明の好ましい形態では、前記部品本体に、物品を保持するための保持手段が設けられている。かかる形態とすることによって、収容物を落とすことなく収容することができる。
【００１３】
本発明は、上述の構成部品によって形成された収容体にも関する。本発明の収容体は、構成部品の組み合わせ方によって、様々な形態に変化させることができる。
【発明の効果】
【００１４】
本発明によれば、完成品の形状のバリエーションに富み、かつ、構成部品の組み合わせ方によっては異なる用途に用いることができるような、自由組み立て型の収容体とその構成部品を提供することができる。
【図面の簡単な説明】
【００１５】
【図１】実施例１の本発明の構成部品の裏面を表す図である。（ａ）は部品本体、（ｂ）は固定体を表す。
【図２】実施例１の本発明の構成部品の表面を表す図である。（ａ）は部品本体、（ｂ）は固定体を表す。
【図３】実施例２の本発明の収容体を表す図である。（ａ）は２枚の構成部品を連結部によって連結した図、（ｂ）は固定体によって構成部品を固定した図。
【図４】実施例３の本発明の収容体の使用状態を表す図である。（ａ）は物品を挟持させた状態を表し、（ｂ）は固定体によって固定した状態を表す。
【図５】実施例４の本発明の収容体を表す図である。
【図６】実施例５の本発明の構成部品を表す図である。（ａ）は裏面、（ｂ）は表面を表す。
【発明を実施するための形態】
【００１６】
以下、本発明の実施の形態について説明する。しかし、本発明の技術範囲は実施の形態に記載した態様に限られない。
なお、本明細書において各連結部とは第１連結部及び第２連結部、各固定部とは第１固定部及び第２固定部のことを意味する。
また、本発明において縦方向及び横方向とは、実際の使用時における方向を示すものではなく、単に各連結部と各固定部の位置関係を明確にするために便宜上用いている文言である。
【００１７】
＜１＞収容体の構成部品
本発明は、複数組み合わせることによって収容体を形成することができる収容体の構成部品であって、
前記構成部品は略シート状の部品本体を備え、
前記部品本体は互いに連結可能な第１連結部及び第２連結部、並びに互いに固定可能な第１固定部及び第２固定部を備え、
前記第１連結部と前記第２連結部は前記部品本体の縦方向における相対する位置にそれぞれ設けられ、
前記第１固定部と前記第２固定部は前記部品本体の横方向における相対する位置にそれぞれ設けられていることを特徴とする、構成部品である。
以下、本発明の構成部品の各構成について詳述する。
【００１８】
（１）部品本体
本発明における部品本体は略シート状である。部品本体は好ましくは布、革などで構成する。部品本体を布、革などで構成する場合には、１枚で構成しても良いし、複数枚重ねて構成しても良い。
【００１９】
部品本体の形状は特に限定されないが、後述する各固定部及び各連結部をそれぞれ相対の位置に設けられる形状にする。
本発明の好ましい実施の形態では、部品本体は互いに並行な２辺を有し、当該２辺に各連結部をそれぞれ設ける。ここで、並行な２辺とは必ずしも平行な２辺とは限らず、台形における２辺の脚のように交差の関係にあるものでもよい。
【００２０】
部品本体において各固定部を設ける部分の形状は特には限定されない。部品本体において、各固定部の何れか一方、又は両方を設ける部分を突出片としても良い。
【００２１】
部品本体の形状としては、並行な２辺を有する多角形、並行な２辺を有する略楕円形が好ましく例示でき、より好ましくは平行な２辺を有する多角形、平行な２辺を有する略楕円形が例示できる。また、さらに好ましくは、矩形、平行な２辺を有する略楕円形、これらの形状であって突出片を有する形状が例示できる。
【００２２】
本発明の好ましい実施の形態では、部品本体に保持手段を設ける。保持手段は物品を落ちないように保持できるものであれば特に限定されず、ポケット等の袋状の収納部や、物品を挟んで保持するゴムバンド等の挟持部が特に好ましく挙げられる。
構成部品によって収容体を形成したときに、収容体の表側に出る面を表面、裏側に出る面を裏面とすると、保持手段は部品本体の表面、裏面の何れか又は両方に設けることができる。好ましくは裏面に設ける。
【００２３】
（２）連結部
本発明の構成部品は、部品本体に互いに連結可能な第１連結部及び第２連結部を備える。ここで「互いに連結可能」とは、第１連結部及び第２連結部が直接連結する場合と、間接的に連結する場合も含む。
また、第１連結部と第２連結部は互いに連結するように組み合わされる別々の構造を有する部材であってもいいし、同一の構造を有する部材であってもよい。
【００２４】
第１連結部と第２連結部は部品本体の縦方向における相対する位置にそれぞれ設けられる。
本発明の好ましい実施の形態では、部品本体は互いに並行な２辺を有し、当該２辺に各連結部をそれぞれ設ける。本発明のより好ましい実施の形態では、当該２辺は平行である。
【００２５】
各連結部は縦方向における相対する位置にそれぞれ設けられているため、構成部品を縦方向に折り曲げ、相対する位置に設けられた各連結部を互いに連結させることもできる。
また、複数の構成部品に設けられた各連結部同士を互いに連結させることもできる。すなわち、複数の構成部品を縦方向に次々とつなぎ合わせることができる。
【００２６】
本発明の好ましい実施の形態では、第１連結部及び第２連結部が互いに噛み合う務歯で構成される線ファスナーである。
かかる実施の形態において、線ファスナー（ジッパー）の種類は限定されず、金属ファスナー、樹脂ファスナーの何れも用いることができる。
また第１連結部及び第２連結部は互いに連結することができればよく、線ファスナーのスライダー（開閉部品）、上止め、下止めの態様は特に限定されない。
【００２７】
（３）固定部
本発明の構成部品は、部品本体に互いに固定可能な第１固定部及び第２固定部を備える。ここで「互いに固定可能」とは、第１固定部及び第２固定部が直接固定される場合と、間接的に固定される場合も含む。
また、第１固定部と第２固定部は互いに固定されるように組み合わされる別々の構造を有する部材であってもいいし、同一の構造を有する部材であってもよい。
第１固定部と第２固定部が間接的に固定されるものであれば、各固定部は同一の構造を有する部材であってもよい。
【００２８】
第１固定部と前記第２固定部は前記部品本体の横方向における相対する位置にそれぞれ設けられている。
部品本体における各固定部が設けられる部分の形状は特に限定されず、上述したように突出片としてもいい。
【００２９】
各固定部は互いに固定可能であればよく、シャンクボタン、スナップボタン、トグルボタン、又は面ファスナー等を例示することができる。
本発明の好ましい実施の形態では、第１固定部と前記第２固定部が互いに固定可能な面ファスナーである。
第１固定部と前記第２固定部を直接固定する構成とする場合には、各固定部の何れか一方をループ面、他方をフック面とする。
また、第１固定部と前記第２固定部を間接的に固定する構成とする場合には、各固定部をループ面又はフック面の何れかとする。この場合、第１固定部と第２固定部を間接的に固定するために、フック面又はループ面の何れかを備えた固定体が必要となるが、固定体については後述する。
【００３０】
また、本発明の好ましい実施の形態では、部品本体の一方の面に第１固定部を備え、他方の面に第２固定部を備える。
かかる実施の形態とすることは、部品本体を横方向に丸め、第１固定部と第２固定部を固定する際に有用である。また、２つの部品本体の裏面同士を重ね合わせてつなぎ合わせたい場合にも有用である。
かかる実施の形態においては、部品本体における第１固定部又は第２固定部が設けられている部分の形状を突出片とすることが、より好ましい。
かかる実施の形態においては、第１固定部もしくは第２固定部を、シャンクボタンにおける切り込み部もしくはボタン本体；スナップボタンにおける凸部品もしくは凹部品；トグルボタンにおける紐部品もしくはボタン本体；又は面ファスナーにおけるループ面もしくはフック面、とすることが好ましい。
【００３１】
本発明の好ましい実施の形態では、第１固定部に固定可能な３固定部を有する略シート状の固定体を備える。
かかる実施の形態は、第１固定部及び第２固定部を直接固定できない同一の構成の部材としたときに有用である。例えば第１固定部及び第２固定部を面ファスナーのループ面とした場合には、固定体の第３固定部をフック面とすることで、第１固定部及び第２固定部を、第３固定部を介して間接的に固定することができる。
また、第１固定部及び第２固定部をそれぞれ２つずつ備え、一方の第１固定部と他方の第１固定部が、部品本体の横方向における相対する位置にそれぞれ設けられているような構成とする場合にもかかる実施形態は有用である。例えば、各固定部を面ファスナーとした場合に、第１固定部をループ面、第２固定部をフック面、第３固定部をフック面とすれば、２つの第１固定部を、第３固定部を介して固定することができる。もちろん、第１固定部と第２固定部を直接固定することもできるため、かかる実施の形態においては、各固定部によって構成部品を組み合わせる際の組み合わせ方のバリエーションに富む。
【００３２】
＜２＞本発明の構成部品によって形成された収容体。
本発明は、上述の構成部品によって形成された収容体にも関する。以下、本発明の収容体について説明する。
【００３３】
本発明の収容体は、本発明の構成部品を１つ又は２つ以上使用して形成された収容体である。
該構成部品を１つ使用する場合には、第１連結部と第２連結部を連結、又は第１固定部と第２固定部を固定することによって収容体を形成することができる。すなわち、１つの該構成部品を丸めて（折りたたんで）収容体を形成することができる。
【００３４】
また、構成部品を２つ以上使用する場合には、２つ以上の構成部品を各連結部同士で縦方向につなぎ合わせ、これを縦方向に折りたたみ、上端と下端に位置した各連結部を連結することによって形成することができる。
使用する構成部品の個数は、偶数でも奇数でも構わないが好ましくは偶数である。
すなわち、本発明の収容体の好ましい実施の形態では、収容体を構成する構成部品を使用する個数を２以上の偶数とする。かかる実施形態とすることによって、上述のように各連結部を連結し、折りたたんだ際に、各構成部品が裏面を合わせて重なり合う状態となるため、この重なり合った構成部品同士を各固定部によって容易に固定することができる。
このようにして形成した収容体は袋状となる。この状態の収容体を袋状収容体と呼ぶ。
【００３５】
袋状収容体は、各連結部を開口部とすることができる。４以上の偶数個の構成部品によって形成した袋状収容体おいては、上端と下端に位置する連結部だけではなく、袋状収容体の側面に位置する各連結部も開口部とすることができる。
また、袋状収容体においては、重なり合う構成部品同士を固定している各固定部も開口部とすることができる。
【００３６】
構成部品の組み合わせ方によって、本発明の袋状収容体の形状にバリエーションを持たせることができる。袋状収容体の形状の１例を以下に示す。
４つの構成部品の各連結部を連結させ、これを縦方向に折りたたみ、上端と下端に位置する各連結部を連結する。そして、これをさらに縦方向に折りたたみ、最外面に位置する２つの構成部品の各固定部を互いに固定する。
このようにして形成した袋状収容体は、２区画の収納空間を内部に有し、２つの隣接した開口部と、これらと反対側に位置する１つの開口部を備えた形態となる。
このように、本発明の袋状収容体は形状のバリエーションに富む。
【００３７】
また、本発明の収容体は、２つ以上の構成部品を各連結部同士で縦方向につなぎ合わせ、これを横方向に丸め、同一構成部品に設けられた各固定部同士を固定することによって形成することもできる。
この状態の収容体を筒状収容体と呼ぶ。
【００３８】
筒状収容体においては、物品を筒内部に包むことによって収容する。かかる実施の形態においては、構成部品の裏側に保持手段を設けることが好ましい。
保持手段は物品を落ちないように保持できるものであれば特に限定されず、ポケット等の袋状の収納部やゴムバンド等の挟持部が特に好ましく挙げられる。
特に好ましい実施の形態においては、保持手段として挟持部を設ける。挟持部としてはゴムバンドが特に好ましく例示できる。
【００３９】
保持手段としてゴムバンドを採用する際の実施の形態について説明する。かかる実施の形態においては、各構成部品の裏側にゴムバンドの長さ方向を構成部品の横方向と並行になるように縫い付けることが好ましい。ゴムバンドの縫い付け方としては、両端を縫い付けても良いし、また、ゴムバンドの両端及び設定した中途点を縫い付けても良い。
【００４０】
ゴムバンドを備える構成部品を使用して形成した本発明の筒状収容体においては、ゴムバンドに物品を挟持することで筒内部に物品を保持することができる。
また、長すぎるケーブルやコードなどを束ねてゴムバンドに挟持すれば、本発明の筒状収容体はコード収納用具としても使用することができる。
【実施例】
【００４１】
以下に実施例を示し、本発明についてさらに詳細に説明する。
＜実施例１＞本発明の構成部品
本発明の構成部品の裏面を図１、表面を図２に示す。
実施例１の構成部品は、部品本体１０と固定体４０を備える（図１、２）。実施例１において部品本体１０と固定体４０は革製であるが、シート状の部材であるのならば他の素材で構成しても良い。部品本体１０は略矩形であり、突出片１１を左右の端に備えた形状をとっている。
実施例１においては固定体４０を備える構成としたが、後述するように固定体４０を使用しなくとも、部品本体１０を組み合わせて収容体を形成することもできる。
【００４２】
部品本体１０には、第１連結部としてスライダーが設けられた線ファスナーの務歯２１、第２連結部としてスライダーが設けられていない線ファスナーの務歯２２が図１に示すように相対する位置に設けられている。
務歯２１は務歯２２と噛み合わせて連結できる構成となっている。
務歯２１及び２２は、市販されている線ファスナーの務歯が設けられた生地を、革製の部品本体１０に縫い付けることによって、部品本体１０に固定されている。
【００４３】
また、部品本体１０には、第１固定部として面ファスナーのループ面３１が表面に２つ、第２固定部として面ファスナーのフック面３２が裏面に２つ設けられている（図１、２）。実施例１においては、第１固定部及び第２固定部を２つずつ設けたが、各固定部を１つずつ備える構成であっても構わない。
そして、固定体４０には第３固定部として面ファスナーのフック面３３が設けられている（図１）。
ループ面３１並びにフック面３２及び３３は、革製の部品本体１０に縫い付けることによって、部品本体１０に固定されている。
【００４４】
図１に示すように、実施例１の部品本体１０の裏側にはゴムバンド５０が３本設けられている。そして、それぞれのゴムバンド５０は両端と中途点の３点において、補強片５１を重ねた状態で、部品本体１０に縫い付けられている。
ゴムバンドは市販のものを使用している。
【００４５】
＜実施例２＞本発明の収容体（袋状収容体）
実施例２の本発明の収容体は、実施例１の本発明の構成部品を２つ使用して形成されたものである。
実施例１の本発明の構成部品を、務歯２１及び２２が重なり合い、構成部品の表面が外側を向くように２枚重ね合わせる。そして、務歯２１及び２２を連結する。（図３（ａ））。
すると、上下端に線ファスナーで開閉可能な開口部６１、左右端に開口部６２を有する実施例２の収容体が形成できる（図３（ａ））。
そして、実施例２の本発明の収容体は、重ね合った部品本体１０のループ面３１同士を固定体４０のフック面３３を介して固定して使用する（図３（ｂ））。
この場合、左右端の開口部６２はこの固定体４０によって開閉することができる。
【００４６】
実施例１の本発明の構成部品における、突出片１１を長く設けた構成部品によれば、突出片１１に設けられたフック面３２とループ面３１を直接固定することができる収容体を形成することができる。本願においては図面を示さないが、かかる実施形態の構成部品及び収容体も本発明の技術範囲に含まれる。
【００４７】
＜実施例３＞本発明の収容体（筒状収容体）
実施例３の本発明の収容体（筒状収容体）は、実施例１の本発明の構成部品から形成されたものである。
図４（ａ）に示すように、２枚の構成部品を務歯２１及び２２によって連結し、これを横方向に丸め、構成部品の表側に設けられた２つのループ面３１を固定体４０のフック面３３を介して固定することによって、実施例３の筒状収容体を形成することができる（図４（ｂ））。
【００４８】
本願においては図示しないが、固定体４０を使用せず、突出片１１に設けられたフック面３２をループ面３１に固定して筒状収容体を形成しても良い。かかる形態の筒状収容体も当然に本発明の技術範囲に含まれる。
【００４９】
実施例３の筒状収容体は広げた状態（図４（ａ））において、ゴムバンド５０に収納物７１を挟持するようにして使用する。
また、この時、束ねたコード７２をゴムバンド５０に挟持することで（図４（ａ））、実施例３の筒状収容体はコード収納用具として用いることができる（図４（ｂ））。
【００５０】
＜実施例４＞本発明の収容体（袋状収容体）
実施例４の袋状収容体は、実施例１の本発明の構成部品を４枚使用して形成したものである。
実施例４の袋状収容体は、実施例２の袋状収容体を縦方向に２つつなげることによって形成することができる。すなわち、２つの実施例２の袋状収容体の内、一方の袋状収容体の下端の開口部６１を開口し、他方の袋状収容体の上端の開口部６１を開口する。そして、開口した開口部６１同士を務歯２１及び２２によって連結することによって、実施例４の袋状収容体を形成することができる。
【００５１】
実施例４の袋状収容体は、上下端だけでなく側面にも線ファスナーで開閉可能な開口部６１を有する。すなわち、固定部によって開閉可能な開口部６２と合わせると、合計８個の開口部を有することになる。
このように、実施例４の袋状収容体の使用態様は非常にバリエーションに富む。
なお、実施例４の袋状収容体の上下端にさらに実施例１の袋状収容体を連結できることは言うまでもなく、このように連結した袋状収容体も当然に本発明の技術範囲に含まれる。
【００５２】
実施例４の袋状収容体は実施例１の袋状収容体を、各連結部を用いて縦方向につなげたものである。なお、実施例１の袋状収容体は、左右端に各固定部を有するため、各固定部を用いて横方向につなげることもできる。また、縦横両方向に実施例１の収容体を組み合わせることも可能である。
このように、実施例１の収容体を基本単位として組み合わせてなる収容体は、実施例４の収容体のみならず、無数に考えることができ、本発明の収容体の技術範囲は、これら無数の収容体すべてを含む。
【００５３】
＜実施例５＞本発明の構成部品
実施例５の本発明の構成部品の裏面を図６（ａ）、表面を図６（ｂ）に示す。
実施例５の構成部品は、各固定部としてスナップボタンが採用されている。すなわち、実施例５の構成部品は、第１固定部としてスナップボタンの凹部品８１、第２固定部としてスナップボタンの凸部品８２を備える。
凹部品８１及び凸部品８２はそれぞれ４つずつ設けられている。そして、凹部品８１は部品本体１０の表面に設けられ（図６（ｂ））、凸部品８２は突出片１１の裏面に設けられている（図６（ａ））。
実施例１の構成部品においては、部品本体１０の左右両端に第１固定部と第２固定部をそれぞれ備えていたが、実施例５の構成部品においては、左右の端部は第１固定部又は第２固定部の何れか１つを備える構成となっている。
また、部品本体１０において、凸部品８２は突出部１１に設けられている。
実施例５の構成部品において、上述した構成以外は実施例１の構成部品と同様である。
【００５４】
実施例５の構成部品は、各固定部がスナップボタンであること以外は、実施例１の構成部品と同様に用いることができる。すなわち、実施例５の構成部品を使用した場合であっても、実施例２〜４の本発明の収容体と同一の形状の収容体を形成することができる。
【００５５】
本願においては図示しないが、突出片１１、凹部品８１、及び凸部品８２の設置位置が、実施例５の構成部品における設置位置と左右逆の構成部品を用意する。そして、かかる構成部品と実施例５の構成部品を組み合わせることが好ましい。かかる実施形態によれば、実施例２の収容体と同様の形状に構成部品を組み合わせた際に、左右両端の開口部６２を突出片１１によって開閉することができる。
【産業上の利用可能性】
【００５６】
本発明によれば、自由形状型ポーチを提供することができる。
【符号の説明】
【００５７】
１０  部品本体
１１  突出部
２１  務歯（第１連結部）
２２  務歯（第２連結部）
３１  ループ面（第１固定部）
３２  フック面（第２固定部）
３３  フック面（第３固定部）
４０  固定体
５０  ゴムバンド（保持手段）
５１  補強片
６０  開口部
７１  箱状物品
７２  コード
８１  凹部品（第１固定部）
８２  凸部品（第２固定部）
【図１】
2015213545.tif 000003
【図２】
2015213545.tif 000004
【図３】
2015213545.tif 000005
【図４】
2015213545.tif 000006
【図５】
2015213545.tif 000007
【図６】
2015213545.tif 000008
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
複数組み合わせることによって収容体を形成することができる収容体の構成部品であって、
前記構成部品は２以上を一組とし、それぞれの構成部品は略シート状の部品本体をそれぞれ備え、
前記各部品本体は第１連結部及び第２連結部、並びに第１固定部及び第２固定部を備え、
前記第１連結部と前記第２連結部は前記部品本体の縦方向における相対する位置にそれぞれ設けられ、
前記第１固定部と前記第２固定部は前記部品本体の横方向における相対する位置にそれぞれ設けられ、
互いに組み合わされる一方の部品本体の第１連結部と、他方の部品本体の第２連結部とが互いに連結可能に構成され、かつ、一方の部品本体の第２連結部と他方の部品本体の第１連結部とが互いに連結可能に構成され、
互いに組み合わされる一方の部品本体の第１固定部と、他方の部品本体の第２固定部とが互いに固定可能に構成され、かつ、一方の部品本体の第２固定部と他方の部品本体の第１固定部とが互いに固定可能に構成されていることを特徴とする、構成部品。
【請求項２】
前記部品本体は互いに並行な２辺を有し、当該２辺の内の一方に前記第１連結部が設けられ、他方の辺に前記第２連結部が設けられていることを特徴とする、請求項１に記載の構成部品。
【請求項３】
前記第１連結部及び前記第２連結部が互いに噛み合う務歯で構成される線ファスナーであることを特徴とする、請求項１又は２に記載の構成部品。
【請求項４】
前記部品本体の一方の面に前記第１固定部を備え、他方の面に前記第２固定部を備えることを特徴とする、請求項１〜３の何れか１項に記載の構成部品。
【請求項５】
前記第１固定部と前記第２固定部が互いに固定可能な面ファスナーであることを特徴とする、請求項４に記載の構成部品。
【請求項６】
前記第１固定部に固定可能な第３固定部を有する略シート状の固定体を備えることを特徴とする、請求項１〜５の何れか１項に記載の構成部品。
【請求項７】
請求項１〜６の何れか１項に記載の構成部品によって形成された収容体。
【請求項８】
第１から第４の４つの前記構成部品を備え、
第１の構成部品の第１連結部と第２の構成部品の第２連結部が連結し、
第２の構成部品の第１連結部と第３の構成部品の第２連結部が連結し、
第３の構成部品の第１連結部と第４の構成部品の第２連結部が連結し、
第４の構成部品の第１連結部と第１の構成部品の第２連結部が連結し、
第１の構成部品の第１固定部と第４の構成部品の第２固定部が固定され、
第１の構成部品の第２固定部と第４の構成部品の第１固定部が固定され、
第２の構成部品の第１固定部と第３の構成部品の第２固定部が固定され、
第２の構成部品の第２固定部と第３の構成部品の第１固定部が固定されていることを特徴とする、請求項７に記載の収容体。